(57)【要約】【課題】開封するだけで懸賞表示マークを視認できるキャップであって、ライナーをキャップシェル内で成形できると共に、懸賞表示マークを別途印刷する必要がなく、生産性に優れた懸賞表示マーク付キャップを提供することである。【解決手段】頂板部、頂板部から垂下するスカート部及びスカート部の下端から突出する把持部から成り、少なくとも頂板部及びスカート部には、スカート部下端の把持部付け根近傍からスカート部上端を経て頂板部に至り、次いで頂板部の周縁付近に延びる一対の弱化ラインが形成されている金属製キャップシェルと、該金属製キャップシェルの頂板部内面に接着領域及び非接着領域乃至弱接着領域を介して一体に頂板部ほぼ全域に形成される密封用ライナーから成るキャップにおいて、前記一対の弱化ラインの間で且つ把持部側に位置するスカート部或いは該スカート部に連なる頂板部周縁の内面に懸賞表示が形成されていることを特徴とする懸賞表示マーク付キャップ。【選択図】  図５
2004345653.tif 000002
【特許請求の範囲】
【請求項１】
頂板部、頂板部から垂下するスカート部及びスカート部の下端から突出する把持部から成り、少なくとも頂板部及びスカート部には、スカート部下端の把持部付け根近傍からスカート部上端を経て頂板部に至り、次いで頂板部の周縁付近に延びる一対の弱化ラインが形成されている金属製キャップシェルと、該金属製キャップシェルの頂板部内面に接着領域及び非接着領域乃至弱接着領域を介して一体に頂板部ほぼ全域に形成される密封用ライナーから成るキャップにおいて、
前記一対の弱化ラインの間で且つ把持部側に位置するスカート部或いは該スカート部に連なる頂板部周縁の内面に懸賞表示が形成されていることを特徴とする懸賞表示マーク付キャップ。
【請求項２】
前記キャップシェル内面と密封用ライナーの接着領域及び非接着領域乃至弱接着領域がキャップシェルの頂板部内面のほぼ全域に施される接着性塗料及び該接着性塗料上に部分的に施される密封用ライナーに対して非接着性乃至弱接着性のマスキング用塗料によって形成されていると共に、前記懸賞表示が有色のマスキング塗料によって形成されている請求項１記載のキャップ。
【請求項３】
前記非接着領域乃至弱接着領域が、少なくとも把持部側のスカート部上部及び頂板部、並びに頂板部の外周縁であって弱化ライン形成部に相当する位置に形成されている請求項１又は２記載のキャップ。
【請求項４】
前記懸賞表示が、マスキング用塗料の塗布部分により直接表示されているか或いはマスキング用塗料の非塗布部分による抜き文字である請求項２又は３記載のキャップ。
【発明の詳細な説明】
【０００１】
【発明の属する技術分野】
本発明は、懸賞表示マーク付キャップに関し、より詳細には、キャップを開封するだけで懸賞表示マークを視認可能であると共に、懸賞表示マークを別途印刷することが不要な生産性に優れた懸賞表示マーク付キャップに関する。
【０００２】
【従来の技術】
従来より、開封の際にキャップシェルに形成された一対の弱化ラインが破断される形態の簡易開封型キャップが広く実用に供されている。
このような簡易開封型キャップに懸賞特性を具備させたキャップも知られており、例えば、本出願人により、天面壁及びスカート壁から成り、把持片の基端両側近傍から該スカート壁を上方に延び次いで該スカート壁と天面壁との境界領域或いは天面壁を延びる一対の弱化ラインが形成されて成る金属製キャップシェルと、該キャップシェルの天面壁内面の周縁部を環状に延在する環状主部を有する合成樹脂製環状ライナーから成る容器蓋において、把持片に対応する角度位置において該環状主部から半径方向内方に突出し且つ該一対の弱化ライン間に位置する付加部を有し、該ライナーの該環状主部の少なくとも一部領域は該シェルの該天面壁の内面に接着せしめられており、該ライナーの該付加部は該シェルの該天面壁の内面に非接着乃至弱接着せしめられており、該ライナーの該付加部の上面或いは該シェルの該天面壁の内面における該付加部に覆われる領域には懸賞用印刷が選択的に施されている、ことを特徴とする容器蓋が提案されている（特許文献１）。
【０００３】
【特許文献１】
特許第２７７７７３５号
【０００４】
【発明が解決しようとする課題】
上記キャップによれば、キャップを開封すれば懸賞表示を視認することが可能であり、ライナーを剥離或いは剥離除去する必要がなく、優れた懸賞特性を発現し得る。
しかしながら、上記キャップにおいては、キャップシェルに組み合わせるべきライナーの形状が、環状ライナーに半径方向内方に突出する付加部が形成された複雑な形状であるため、ライナーの成形が容易でない。
【０００５】
またライナーの付加部上面或いは付加部に覆われるキャップシェルの天面壁内面に懸賞表示マークを印刷するため、印刷工程を別途設ける必要があり、かかるキャップの組み立て工程や印刷工程を要しない、製造のより容易な懸賞表示マーク付キャップが望まれている。
従って本発明の目的は、開封するだけで懸賞表示マークを視認できるキャップであって、ライナーをキャップシェル内で成形できると共に、懸賞表示マークを別途印刷する必要がなく、生産性に優れた懸賞表示マーク付キャップを提供することである。
【０００６】
【課題を解決するための手段】
本発明によれば、頂板部、頂板部から垂下するスカート部及びスカート部の下端から突出する把持部から成り、少なくとも頂板部及びスカート部には、スカート部下端の把持部付け根近傍からスカート部上端を経て頂板部に至り、次いで頂板部の周縁付近に延びる一対の弱化ラインが形成されている金属製キャップシェルと、該金属製キャップシェルの頂板部内面に接着領域及び非接着領域乃至弱接着領域を介して一体に、頂板部のほぼ全域に形成される密封用ライナーから成るキャップにおいて、前記一対の弱化ラインの間で且つ把持部側に位置するスカート部或いは該スカート部に連なる頂板部周縁の内面に懸賞表示が形成されていることを特徴とする懸賞表示マーク付キャップが提供される。
【０００７】
本発明の懸賞表示マーク付キャップにおいては、
１．キャップシェル内面と密封用ライナーの接着領域及び非接着領域乃至弱接着領域がキャップシェルの頂板部内面のほぼ全域に施される接着性塗料及び該接着性塗料上に部分的に施される密封用ライナーに対して非接着性乃至弱接着性のマスキング用塗料によって形成されていると共に、前記懸賞表示が有色のマスキング塗料によって形成されていること、
２．非接着領域乃至弱接着領域が、少なくとも把持部側のスカート部上端及び頂板部、並びに頂板部の外周縁であって弱化ライン形成部に相当する位置に形成されていること、３．懸賞表示が、マスキング用塗料の塗布部分により直接表示されているか或いはマスキング用塗料の非塗布部分による抜き文字であること、
が好適である。
【０００８】
本発明の懸賞表示マーク付キャップは、キャップシェルと密封用ライナーとが接着領域及び非接着領域乃至弱接着領域を介して一体化されているため、把持部を上方に引き上げることにより、キャップシェルに形成された一対の弱化ラインが破断されると共に、一対の弱化ラインで挟まれたキャップシェルの頂板部中央が上方に持ち上げられるが、この持ち上げられた一対の弱化ラインの間に位置するスカート部或いは該スカート部に連なる頂板部周縁の内面が開封と同時に目視可能となることから、この部分に懸賞表示を設けることによって開封と同時に懸賞表示を確認することが可能となるのである。
【０００９】
また本発明の懸賞表示マーク付キャップでは、キャップシェルと密封用ライナーとを一体化するための接着領域上に、弱化ラインの破断を容易にし、キャップの開封性を確保するための非接着領域乃至弱接着領域が形成されているが、かかる非接着領域乃至弱接着領域を形成するために有色のマスキング塗料を用い、この有色のマスキング塗料をパターン化して塗布することにより懸賞表示マークを形成でき、特別な印刷工程を経ることなく、懸賞表示を形成することが可能となるのである。
しかも、予めキャップシェル頂板部内面に接着領域及び非接着領域乃至弱接着領域を形成しておくことができ、キャップシェル内で密封用ライナーの成形とセッティングとを同時に行うことが可能となり、特別な印刷工程が不要であることと相俟って生産性を更に向上させることが可能となる。
【００１０】
【発明の実施形態】
本発明の懸賞表示マーク付キャップを添付図面に基づいて詳細に説明する。
図１は、本発明の懸賞表示マーク付キャップの一例の斜視図、図２は、図１に示す本発明のキャップの一部を取り除き、その断面構造を説明するための斜視図であり、図３は、図１に示すキャップの側断面図、図４は、図１に示すキャップの底面図、図５は、本発明のキャップの一例を開封操作を説明するための図、図６は、キャップシェルを作成するための金属素材の平面図、図７乃至図９は、キャップシェル頂板部内面に施される非接着領域乃至弱接着領域を説明するための図である。
【００１１】
図１乃至図４に示すように、全体を１で示す本発明のキャップの一例は、概略的に言って、金属素材から成るキャップシェル２、合成樹脂から成る密封用ライナー３、及び合成樹脂から成る把持用リング４から成る。
キャップシェル２は、頂板部１０及び頂板部１０から垂下するスカート部１１、スカート部１１の下端１２から突出する突出部１３から成っており、突出部１３には把持用リング４が強固に一体化されて、キャップ開封のための把持部１４を形成している。
キャップシェル２には、把持部１４の付け根の両側に設けられた切り欠き１５ａ，１５ｂからスカート部上端を経て頂板部１０に至り、次いで頂板部１０の周縁付近に延びる一対の弱化ライン１６ａ、１６ｂが形成されている。
【００１２】
キャップシェル頂板部１０の内面には、密封用ライナー３が接着領域及び非接着領域乃至弱接着領域を介して一体に形成されている。この密封用ライナー３は、図３及び図４から明らかなように、外側環状突起２１及び内側環状突起２２が形成され、これらの突起の間の領域２３に容器口部（図示せず）が当接して、キャップの密封性が確保されている。また内側環状突起２２で区画される中央部分２４には、薄肉のライナーが形成され、キャップシェルが内容物と接触することが防止されている。
【００１３】
図５に示すように、本発明のキャップにおいては、把持部１４を上方に引き上げることにより一対の弱化ライン１６が破断されて、弱化ライン１６ａ及び１６ｂの間の把持部１４に連なるキャップシェルスカート部１７及び該スカート部１７に連なる頂板部周縁部１８が上方に引き上げられる。キャップシェルの頂板部周縁部１８のほとんどが密封用ライナー３との非接着領域乃至弱接着領域であるため、把持部１４が引き上げられると、把持部１４に連なるスカート部１７及び頂板部周縁部１８の内面側を目視することが可能になり、図５に示す具体例では、頂板部周縁部１８に懸賞表示マーク（当たりの文字）が形成されており、この懸賞表示マークを容易に視認することができる。
【００１４】
本発明においては、前述した通り、キャップシェルと密封用ライナーを一体化する際、弱化ラインの破断を可能にして開封性を保持するために、接着領域と非接着領域乃至弱接着領域が形成されている。
図６は、キャップシェルを形成するための金属素材のキャップ内面側と成るべき面を示すものであり、図の上方に把持用タブ４（図示せず）と一体化されて把持部を形成するための突出部１３が形成されている。
すなわち、図６に示すように、本発明においては、キャップシェルを形成する金属素材に予め接着領域（図の白色部分）３１と非接着領域乃至弱接着領域（図の着色部分）３２を形成するが、非接着領域乃至弱接着領域３２を、少なくとも突出部１３側のスカート部上部１７及び該スカート部上部１７に連なる頂板部周縁部１８、並びに頂板部の外周縁１９であって、弱化ライン１６が形成される領域に形成することが特に好ましい。これにより弱化ライン１６の破断が容易になり、開封性も確保される。この図６に示す例では、懸賞表示マークは非接着領域乃至弱接着領域３２により抜き文字で形成されている。
【００１５】
本発明においては、接着領域及び非接着領域乃至弱接着領域は、キャップシェルの頂板部内面のほぼ全域に施される接着性塗料及び該接着性塗料上に部分的に施される密封用ライナーに対して非接着性乃至弱接着性のマスキング用塗料によって形成されていることが特に好適である。これにより懸賞表示を接着領域及び非接着領域乃至弱接着領域の形成と同時に形成することができ、懸賞表示形成のための特別な印刷工程が不要になるという利点がある。
【００１６】
図７乃至図９は、接着領域及び非接着領域乃至弱接着領域により形成されるパターンの例を示す図であり、黒色で塗りつぶした領域がマスキング塗料が塗布された非接着領域乃至弱接着領域Ａであり、白色の領域が接着性塗料が塗布された接着領域Ｂである。尚、図７乃至９においては、便宜上、突出部１３などが省略されており、スカート部上部及び頂板部と成るべき部分のみが示されている。
図７においては、キャップシェル成形後に、キャップシェルの一対の弱化ラインの間に位置する把持部側の頂板部周縁部と成るべき位置に、非接着領域乃至弱接着領域Ａによる抜き文字により懸賞表示マーク（当たりの文字）が形成されている。
図８においては、キャップシェル成形後に、キャップシェルの一対の弱化ラインの間に位置するスカート部上部と成るべき位置に、懸賞表示マーク（当たりの文字）が非接着領域乃至弱接着領域Ａにより形成されている。また図９においては、図８と同様の位置に非接着領域乃至弱接着領域Ａの抜き文字により懸賞表示マーク（当たりの文字）が形成されている。
【００１７】
本発明においては、上述した具体例に限定されるものでなく、種々の変更が可能である。
例えば、懸賞表示は、キャップシェル内面に表示されるものに限定されず、密封用ライナーに転写されるようにして、開封操作により引き上げられたキャップシェル頂板部に対応する密封用ライナーに懸賞表示が形成されていてもよい。
【００１８】
本発明のキャップにおけるキャップシェルとしては、これに限定されないが、アルミニウム、アルミニウム合金等の他、各種表面処理鋼板等、従来金属製キャップに用いられていた全ての金属素材を用いることができる。
また密封用ライナーとしては、ポリエチレン、ポリプロピレン等のオレフィン系樹脂等、従来よりこのタイプのキャップの密封用ライナーに用いられていた樹脂から成形することができる。
本発明のキャップにおいては、金属素材に接着性塗料及びその上に部分的にマスキング塗料を塗布したキャップシェル用金属素材を、プレス成形することによりキャップシェルを成形する。
【００１９】
また密封用ライナーは、キャップシェルとは別に圧縮成形、射出成形等の従来公知の方法により成形した後、キャップシェル内に設置し、加熱して一体化してもよいが、キャップシェルを圧縮成形型の一部として密封用ライナー形成用樹脂を圧縮成形することにより、ライナーの成形とセッティングを同時に行うことができ、これにより、ライナーのシェル内へのセッティング工程が不要になるという利点がある。
【００２０】
接着領域及び非接着領域乃至弱接着領域は、イソシアネート系或いはエポキシ系の熱硬化型接着剤塗料等の従来公知の接着性塗料を密封用ライナーと接するキャップシェルのほぼ全域に施した後、油変性アルキド樹脂等の従来公知のマスキング塗料を非接着領域乃至弱接着領域と成るべき部分に施すことにより形成する。
接着領域及び非接着領域乃至弱接着領域のパターンは、図に示した具体例に限定されるものではないが、非接着領域乃至弱接着領域が、少なくとも把持部側のスカート部上部及び頂板部、並びに頂板部の外周縁であって弱化ライン形成部に相当する位置に形成されていることが開封性の点からは特に好適である。
【００２１】
本発明のキャップは、図１乃至４に示す状態で容器口部に適用された後、キャップシェル頂板部及びスカート部下端を押圧し、容器口部形状に付形することにより、容器にキャッピングされる。
開封に際しては、把持部を上方に引き上げキャップシェルを弱化ラインに沿って破断することにより、キャップシェルによる容器口部の外側からの拘束力が解除されるため、把持部を更に引っ張ることによりキャップシェルを容器口部から容易に取外すことができる。
【００２２】
【発明の効果】
本発明によれば、一対の弱化ラインが形成されている金属製キャップシェルと、該金属製キャップシェルの頂板部内面に接着領域及び非接着領域乃至弱接着領域を介して一体に頂板部ほぼ全域に形成される密封用ライナーから成るキャップにおいて、一対の弱化ラインの間で且つ把持部側に位置するスカート部或いは該スカート部に連なる頂板部周縁の内面に懸賞表示が形成されていることにより、キャップを開封するだけで懸賞表示マークを視認することが可能となる。
特にキャップシェル内面と密封用ライナーの接着領域及び非接着領域乃至弱接着領域がキャップシェルの頂板部内面のほぼ全域に施される接着性塗料及び該接着性塗料上に部分的に施される密封用ライナーに対して非接着性乃至弱接着性のマスキング用塗料によって形成されていると共に、前記懸賞表示が有色のマスキング塗料によって形成されていることにより、懸賞表示マークを別途印刷することが不要となり、生産性に優れたキャップを提供することが可能となる。また予めキャップシェル内に接着性塗料及びマスキング塗料を塗布しておくことができることから、密封用ライナーをキャップシェル内で成形することができ、密封用ライナーのセッティング工程も不要になることから更に生産性を向上できる。
【図面の簡単な説明】
【図１】本発明の懸賞表示マーク付キャップの一例の斜視図である。
【図２】図１に示す本発明のキャップの一部断面を示す斜視図である。
【図３】図１に示すキャップの側断面図である。
【図４】図１に示すキャップの底面図である。
【図５】本発明のキャップの一例の開封操作を説明するための図である。
【図６】キャップシェルを作成するための金属素材の平面図である。
【図７】キャップシェル頂板部内面に施される非接着領域乃至弱接着領域の一例を説明するための図である。
【図８】キャップシェル頂板部内面に施される非接着領域乃至弱接着領域の他の例を説明するための図である。
【図９】キャップシェル頂板部内面に施される非接着領域乃至弱接着領域を他の例を説明するための図である。
【符号の説明】
１  懸賞表示マーク付キャップ
２  キャップシェル
３  密封用ライナー
４  把持用リング
１０  頂板部
１１  スカート部
１３  突出部
１４  把持部
１５  切り欠き
１６  弱化ライン
１７  弱化ライン間のスカート部上部
１８  スカート部上部に連なる頂板部周縁部
１９  頂板部外周縁
３１  接着領域
３２  非接着領域乃至弱接着領域
【図１】
2004345653.tif 000003
【図２】
2004345653.tif 000004
【図３】
2004345653.tif 000005
【図４】
2004345653.tif 000006
【図５】
2004345653.tif 000007
【図６】
2004345653.tif 000008
【図７】
2004345653.tif 000009
【図８】
2004345653.tif 000010
【図９】
2004345653.tif 000011